【手続補正書】
【提出日】平成29年12月25日(2017.12.25)
【手続補正１】
【補正対象書類名】特許請求の範囲
【補正対象項目名】全文
【補正方法】変更
【補正の内容】
【特許請求の範囲】
【請求項１】
無線通信のための方法であって、
ユーザ機器（ＵＥ）によって、セルに関する情報を獲得することと、ここにおいて、前記獲得された情報は、前記セルに関する、物理セルアイデンティティ（ＰＣＩ）、周波数（ｅａｒＦＣＮ）、および帯域幅を備える構成情報を含み、
前記ＵＥによって、セル情報データベース内に前記セルに関する前記獲得された情報を格納することと、
前記ＵＥによって、前記セルの物理ハイブリッド−自動再送要求（ＨＡＲＱ）インジケータチャネル（ＰＨＩＣＨ）グループマッピングのための最初の相互情報（Ｍｉ）仮説値を決定するために前記セル情報データベース内の前記セルに関する前記構成情報を使用することと、
前記最初のＭｉ仮説値を使用して前記ＵＥによって、前記セル上でのシステム情報ブロック（ＳＩＢ）に関する物理ダウンリンク制御チャネル（ＰＤＣＣＨ）復号を実行することと、ここにおいて、前記ＳＩＢは、ＳＩＢ１である、
を備える、方法。
【請求項２】
前記構成情報は、前記セルの位置をさらに備え、前記セル情報データベース内に前記セルに関する前記獲得された情報を格納することは、前記セル情報データベース内に前記セルの前記位置を格納することを含み、測位基準信号（ＰＲＳ）、到着の観測された時間差（ＯＴＤＡ）、または決定された全地球測位システム（ＧＰＳ）座標のうちの少なくとも１つに関連するデータをキャッシュに格納することを含み、前記方法は、
前記ＵＥによって、前記セルを一意で特定するために、前記位置情報を含む、前記セル情報データベース内の前記セルに関する前記構成情報を使用すること
をさらに備える、請求項１に記載の方法。
【請求項３】
前記セルに関する前記獲得された情報は、前記セルに関するクローズド加入者グループ（ＣＳＧ）能力情報をさらに含み、前記セル情報データベース内に前記セルに関する前記獲得された情報を格納することは、前記ＣＳＧ能力情報を格納することを含み、前記方法は、
前記ＵＥのパワーアップ時の最初の周波数スキャン中に、前記セルがＣＳＧ能力を有すること、および、別のセルがＣＳＧ能力を有さないことを決定するために前記セル情報データベースを使用することと、
前記セルがＣＳＧ能力を有さない前記別のセルよりも低い信号強度を前記ＵＥにおいて有するにもかかわらず前記セルの前記ＣＳＧ能力に基づいて前記セル上での最初の獲得を優先することと
をさらに備える、請求項１に記載の方法。
【請求項４】
前記セルに関する前記獲得された情報は、前記セルに関する発展型マルチメディアブロードキャストマルチキャストサービス（ｅＭＢＭＳ）能力情報をさらに含み、前記セル情報データベース内に前記セルに関する前記獲得された情報を格納することは、前記ｅＭＢＭＳ能力情報を格納することを含み、前記方法は、
前記ＵＥのパワーアップ時の最初の周波数スキャン中に、前記セルがｅＭＢＭＳ能力を有すること、および、別のセルがｅＭＢＭＳ能力を有さないことを決定するために前記セル情報データベースを使用することと、
前記セルがｅＭＢＭＳ能力を有さない前記別のセルよりも低い信号強度を前記ＵＥにおいて有するにもかかわらず前記セルの前記ｅＭＢＭＳ能力に基づいて前記セル上での最初の獲得を優先することと
をさらに備える、請求項１に記載の方法。
【請求項５】
前記格納することは、前記セル上での無線リンク障害（ＲＬＦ）または同期外（ＯＯＳ）イベントのうちの少なくとも１つに応答して、前記セルのセル構成情報（ＣＣＩ）および前記ＵＥによって以前に獲得された１つまたは複数の以前のセルの１つまたは複数のＣＣＩのシーケンスを記録することを含み、ここにおいて、前記構成情報は、前記セルの前記ＰＣＩと、公衆陸上無線ネットワーク（ＰＬＭＮ）と、前記ｅａｒＦＣＮとを含み、前記方法は、
現在のＣＣＩシーケンスと前記セル情報データベース内に格納された１つまたは複数のＣＣＩシーケンスとの間の合致を決定することと、
前記合致を前記決定することに少なくとも部分的に応答して、ＲＬＦまたはＯＯＳイベントのうちの少なくとも１つを予測することと
をさらに備える、請求項１に記載の方法。
【請求項６】
前記格納することは、前記ＲＬＦまたはＯＯＳイベントの発生または予測のうちの少なくとも１つに引き続いての別のセルの成功裏の獲得に少なくとも部分的に応答して、ＣＣＩの前記シーケンスに関連する解決方法として前記別のセルのＣＣＩを記録することをさらに含み、前記方法は、
前記別のセルを優先的に獲得するために、前記ＲＬＦまたはＯＯＳイベントを前記予測することに少なくとも部分的に応答して、ＣＣＩの前記シーケンスに関連する前記解決方法を使用すること
をさらに備える、請求項５に記載の方法。
【請求項７】
無線通信のための装置であって、
ユーザ機器（ＵＥ）によって、セルに関する情報を獲得するための手段と、ここにおいて、前記獲得された情報は、前記セルに関する、物理セルアイデンティティ（ＰＣＩ）、周波数（ｅａｒＦＣＮ）、および帯域幅を備える構成情報を含み、
前記ＵＥによって、セル情報データベース内に前記セルに関する前記獲得された情報を格納するための手段と、
前記ＵＥによって、前記セルの物理ハイブリッド−自動再送要求（ＨＡＲＱ）インジケータチャネル（ＰＨＩＣＨ）グループマッピングのための最初の相互情報（Ｍｉ）仮説値を決定するために前記セル情報データベース内の前記セルに関する前記構成情報を使用するための手段と、
前記最初のＭｉ仮説値を使用して前記ＵＥによって、前記セル上でのシステム情報ブロック（ＳＩＢ）に関する物理ダウンリンク制御チャネル（ＰＤＣＣＨ）復号を実行するための手段と、ここにおいて、前記ＳＩＢは、ＳＩＢ１である、
を備える、装置。
【請求項８】
前記構成情報は、前記セルの位置をさらに備え、前記セル情報データベース内に前記セルに関する前記獲得された情報を格納するための前記手段は、前記セル情報データベース内に前記セルの前記位置を格納するための手段を含み、測位基準信号（ＰＲＳ）、到着の観測された時間差（ＯＴＤＡ）、または決定された全地球測位システム（ＧＰＳ）座標のうちの少なくとも１つに関連するデータをキャッシュに格納するための手段を含み、前記装置は、
前記ＵＥによって、前記セルを一意で特定するために、前記位置情報を含む、前記セル情報データベース内の前記セルに関する前記構成情報を使用するための手段
をさらに備える、請求項７に記載の装置。
【請求項９】
前記セルに関する前記獲得された情報は、前記セルに関するクローズド加入者グループ（ＣＳＧ）能力情報をさらに含み、前記セル情報データベース内に前記セルに関する前記獲得された情報を格納するための前記手段は、前記ＣＳＧ能力情報を格納するための手段を含み、前記装置は、
前記ＵＥのパワーアップ時の最初の周波数スキャン中に、前記セルがＣＳＧ能力を有すること、および、別のセルがＣＳＧ能力を有さないことを決定するために前記セル情報データベースを使用するための手段と、
前記セルがＣＳＧ能力を有さない前記別のセルよりも低い信号強度を前記ＵＥにおいて有するにもかかわらず前記セルの前記ＣＳＧ能力に基づいて前記セル上での最初の獲得を優先するための手段と、
をさらに備える、請求項７に記載の装置。
【請求項１０】
前記セルに関する前記獲得された情報は、前記セルに関する発展型マルチメディアブロードキャストマルチキャストサービス（ｅＭＢＭＳ）能力情報をさらに含み、前記セル情報データベース内に前記セルに関する前記獲得された情報を格納するための前記手段は、前記ｅＭＢＭＳ能力情報を格納するための手段を含み、前記装置は、
前記ＵＥのパワーアップ時の最初の周波数スキャン中に、前記セルがｅＭＢＭＳ能力を有すること、および、別のセルがｅＭＢＭＳ能力を有さないことを決定するために前記セル情報データベースを使用するための手段と、
前記セルがｅＭＢＭＳ能力を有さない前記別のセルよりも低い信号強度を前記ＵＥにおいて有するにもかかわらず前記セルの前記ｅＭＢＭＳ能力に基づいて前記セル上での最初の獲得を優先するための手段と
をさらに備える、請求項７に記載の装置。
【請求項１１】
格納するための前記手段は、前記セル上での無線リンク障害（ＲＬＦ）または同期外（ＯＯＳ）イベントのうちの少なくとも１つに応答して、前記セルのセル構成情報（ＣＣＩ）および前記ＵＥによって以前に獲得された１つまたは複数の以前のセルの１つまたは複数のＣＣＩのシーケンスを記録するための手段を含み、ここにおいて、前記構成情報は、前記セルの前記ＰＣＩと、公衆陸上無線ネットワーク（ＰＬＭＮ）と、前記ｅａｒＦＣＮとを含み、前記方法は、
現在のＣＣＩシーケンスと前記セル情報データベース内に格納された１つまたは複数のＣＣＩシーケンスとの間の合致を決定するための手段と、
前記合致を前記決定することに少なくとも部分的に応答して、ＲＬＦまたはＯＯＳイベントのうちの少なくとも１つを予測するための手段と
をさらに備える、請求項７に記載の装置。
【請求項１２】
格納するための前記手段は、前記ＲＬＦまたはＯＯＳイベントの発生または予測のうちの少なくとも１つに引き続いての別のセルの成功裏の獲得に少なくとも部分的に応答して、ＣＣＩの前記シーケンスに関連する解決方法として前記別のセルのＣＣＩを記録するための手段をさらに含み、前記方法は、
前記別のセルを優先的に獲得するために、前記ＲＬＦまたはＯＯＳイベントを前記予測することに少なくとも部分的に応答して、ＣＣＩの前記シーケンスに関連する前記解決方法を使用するための手段をさらに備える、請求項１１に記載の装置。
【請求項１３】
１つまたは複数のプロセッサによって実行されると、前記１つまたは複数のプロセッサに、
ユーザ機器（ＵＥ）によって、セルに関する情報を獲得することと、ここにおいて、前記獲得された情報は、前記セルに関する、物理セルアイデンティティ（ＰＣＩ）、周波数（ｅａｒＦＣＮ）、および帯域幅を備える構成情報を含み、
前記ＵＥによって、セル情報データベース内に前記セルに関する前記獲得された情報を格納することと、
前記ＵＥによって、前記セルの物理ハイブリッド−自動再送要求（ＨＡＲＱ）インジケータチャネル（ＰＨＩＣＨ）グループマッピングのための最初の相互情報（Ｍｉ）仮説値を決定するために前記セル情報データベース内の前記セルに関する前記構成情報を使用することと、
前記最初のＭｉ仮説値を使用して前記ＵＥによって、前記セル上でのシステム情報ブロック（ＳＩＢ）に関する物理ダウンリンク制御チャネル（ＰＤＣＣＨ）復号を実行することと、ここにおいて、前記ＳＩＢは、ＳＩＢ１である、
を行わせる命令を記録した、非一時的コンピュータ可読媒体。
【請求項１４】
前記構成情報は、前記セルの位置をさらに備え、前記命令は、前記１つまたは複数のコンピュータに、前記セル情報データベース内に前記セルの前記位置を格納することによって少なくとも部分的に前記セル情報データベース内に前記セルに関する前記獲得された情報を格納することをさらに行わせ、測位基準信号（ＰＲＳ）、到着の観測された時間差（ＯＴＤＡ）、または決定された全地球測位システム（ＧＰＳ）座標のうちの少なくとも１つに関連するデータをキャッシュに格納することを含み、ここにおいて、前記命令は、前記１つまたは複数のコンピュータに、
前記ＵＥによって、前記セルを一意で特定するために、前記位置情報を含む、前記セル情報データベース内の前記セルに関する前記構成情報を使用すること
をさらに行わせる、請求項１３に記載の非一時的コンピュータ可読媒体。
【請求項１５】
前記セルに関する前記獲得された情報は、前記セルに関するクローズド加入者グループ（ＣＳＧ）能力情報をさらに含み、前記命令は、前記１つまたは複数のコンピュータに、前記ＣＳＧ能力情報を格納することによって少なくとも部分的に前記セル情報データベース内に前記セルに関する前記獲得された情報を格納することをさらに行わせ、ここにおいて、前記命令は、前記１つまたは複数のコンピュータに、
前記ＵＥのパワーアップ時の最初の周波数スキャン中に、前記セルがＣＳＧ能力を有すること、および、別のセルがＣＳＧ能力を有さないことを決定するために前記セル情報データベースを使用すること、および
前記セルがＣＳＧ能力を有さない前記別のセルよりも低い信号強度を前記ＵＥにおいて有するにもかかわらず前記セルの前記ＣＳＧ能力に基づいて前記セル上での最初の獲得を優先すること
をさらに行わせる、請求項１３に記載の非一時的コンピュータ可読媒体。
【請求項１６】
前記セルに関する前記獲得された情報は、前記セルに関する発展型マルチメディアブロードキャストマルチキャストサービス（ｅＭＢＭＳ）能力情報をさらに含み、前記命令は、前記１つまたは複数のコンピュータに、前記ｅＭＢＭＳ能力情報を格納することによって少なくとも部分的に前記セル情報データベース内に前記セルに関する前記獲得された情報を格納することをさらに行わせ、ここにおいて、前記命令は、前記１つまたは複数のコンピュータに、
前記ＵＥのパワーアップ時の最初の周波数スキャン中に、前記セルがｅＭＢＭＳ能力を有すること、および、別のセルがｅＭＢＭＳ能力を有さないことを決定するために前記セル情報データベースを使用すること、および
前記セルがｅＭＢＭＳ能力を有さない前記別のセルよりも低い信号強度を前記ＵＥにおいて有するにもかかわらず前記セルの前記ｅＭＢＭＳ能力に基づいて前記セル上での最初の獲得を優先すること
をさらに行わせる、請求項１３に記載の非一時的コンピュータ可読媒体。
【請求項１７】
前記命令は、前記１つまたは複数のコンピュータに、前記セル上での無線リンク障害（ＲＬＦ）または同期外（ＯＯＳ）イベントのうちの少なくとも１つに応答して、前記セルのセル構成情報（ＣＣＩ）および前記ＵＥによって以前に獲得された１つまたは複数の以前のセルの１つまたは複数のＣＣＩのシーケンスを記録することによって少なくとも部分的に前記セル情報データベース内に前記セルに関する前記情報を格納することをさらに行わせ、ここにおいて、前記構成情報は、前記セルの前記ＰＣＩと、公衆陸上無線ネットワーク（ＰＬＭＮ）と、前記ｅａｒＦＣＮとを含み、前記命令は、前記１つまたは複数のコンピュータに、
現在のＣＣＩシーケンスと前記セル情報データベース内に格納された１つまたは複数のＣＣＩシーケンスとの間の合致を決定することと、
前記合致を前記決定することに少なくとも部分的に応答して、ＲＬＦまたはＯＯＳイベントのうちの少なくとも１つを予測することと、
をさらに行わせる、請求項１３に記載の非一時的コンピュータ可読媒体。
【請求項１８】
前記命令は、前記１つまたは複数のコンピュータに、前記ＲＬＦまたはＯＯＳイベントの発生または予測のうちの少なくとも１つに引き続いての別のセルの成功裏の獲得に少なくとも部分的に応答して、ＣＣＩの前記シーケンスに関連する解決方法として前記別のセルのＣＣＩを記録することによって少なくとも部分的に前記セル情報データベース内に前記セルに関する前記構成情報を格納することをさらに行わせ、ここにおいて、前記命令は、前記１つまたは複数のコンピュータに、
前記別のセルを優先的に獲得するために、前記ＲＬＦまたはＯＯＳイベントを前記予測することに少なくとも部分的に応答して、ＣＣＩの前記シーケンスに関連する前記解決方法を使用すること
をさらに行わせる、請求項１７に記載の非一時的コンピュータ可読媒体。
【請求項１９】
無線通信のための装置であって、
ユーザ機器（ＵＥ）によって、セルに関する情報を獲得し、ここにおいて、前記獲得された情報は、前記セルに関する、物理セルアイデンティティ（ＰＣＩ）、周波数（ｅａｒＦＣＮ）、および帯域幅を備える構成情報を含み、
前記ＵＥによって、セル情報データベース内に前記セルに関する前記獲得された情報を格納し、
前記ＵＥによって、前記セルの物理ハイブリッド−自動再送要求（ＨＡＲＱ）インジケータチャネル（ＰＨＩＣＨ）グループマッピングのための最初の相互情報（Ｍｉ）仮説値を決定するために前記セル情報データベース内の前記セルに関する前記構成情報を使用し、
前記最初のＭｉ仮説値を使用して前記ＵＥによって、前記セル上でのシステム情報ブロック（ＳＩＢ）に関する物理ダウンリンク制御チャネル（ＰＤＣＣＨ）復号を実行し、ここにおいて、前記ＳＩＢは、ＳＩＢ１である、
ように構成された１つまたは複数のプロセッサと、
前記１つまたは複数のプロセッサに結合された少なくとも１つのメモリと、
を備える、装置。
【請求項２０】
前記構成情報は、前記セルの位置をさらに備え、前記１つまたは複数のプロセッサは、前記セル情報データベース内に前記セルの前記位置を格納することによって少なくとも部分的に前記セル情報データベース内に前記セルに関する前記獲得された情報を格納するようにさらに構成され、測位基準信号（ＰＲＳ）、到着の観測された時間差（ＯＴＤＡ）、または決定された全地球測位システム（ＧＰＳ）座標のうちの少なくとも１つに関連するデータをキャッシュに格納することを含み、ここにおいて、前記１つまたは複数のプロセッサは、
前記ＵＥによって、前記セルを一意で特定するために、前記位置情報を含む、前記セル情報データベース内の前記セルに関する前記構成情報を使用する
ようにさらに構成される、請求項１９に記載の装置。
【請求項２１】
前記セルに関する前記獲得された情報は、前記セルに関するクローズド加入者グループ（ＣＳＧ）能力情報をさらに含み、前記１つまたは複数のプロセッサは、前記ＣＳＧ能力情報を格納することによって少なくとも部分的に前記セル情報データベース内に前記セルに関する前記獲得された情報を格納するようにさらに構成され、ここにおいて、前記１つまたは複数のプロセッサは、
前記ＵＥのパワーアップ時の最初の周波数スキャン中に、前記セルがＣＳＧ能力を有すること、および、別のセルがＣＳＧ能力を有さないことを決定するために前記セル情報データベースを使用し、および
前記セルがＣＳＧ能力を有さない前記別のセルよりも低い信号強度を前記ＵＥにおいて有するにもかかわらず前記セルの前記ＣＳＧ能力に基づいて前記セル上での最初の獲得を優先する
ようにさらに構成される、請求項１９に記載の装置。
【請求項２２】
前記セルに関する前記獲得された情報は、前記セルに関する発展型マルチメディアブロードキャストマルチキャストサービス（ｅＭＢＭＳ）能力情報をさらに含み、前記１つまたは複数のプロセッサは、前記ｅＭＢＭＳ能力情報を格納することによって少なくとも部分的に前記セル情報データベース内に前記セルに関する前記獲得された情報を格納するようにさらに構成され、ここにおいて、前記１つまたは複数のプロセッサは、
前記ＵＥのパワーアップ時の最初の周波数スキャン中に、前記セルがｅＭＢＭＳ能力を有すること、および、別のセルがｅＭＢＭＳ能力を有さないことを決定するために前記セル情報データベースを使用し、および
前記セルがｅＭＢＭＳ能力を有さない前記別のセルよりも低い信号強度を前記ＵＥにおいて有するにもかかわらず前記セルの前記ｅＭＢＭＳ能力に基づいて前記セル上での最初の獲得を優先する
ようにさらに構成される、請求項１９に記載の装置。
【請求項２３】
前記１つまたは複数のプロセッサは、前記セル上での無線リンク障害（ＲＬＦ）または同期外（ＯＯＳ）イベントのうちの少なくとも１つに応答して、前記セルのセル構成情報（ＣＣＩ）および前記ＵＥによって以前に獲得された１つまたは複数の以前のセルの１つまたは複数のＣＣＩのシーケンスを記録することによって少なくとも部分的に前記セル情報データベース内に前記セルに関する前記構成情報を格納するようにさらに構成され、ここにおいて、前記構成情報は、前記セルの前記ＰＣＩと、公衆陸上無線ネットワーク（ＰＬＭＮ）と、前記ｅａｒＦＣＮとを含み、前記１つまたは複数のプロセッサは、
現在のＣＣＩシーケンスと前記セル情報データベース内に格納された１つまたは複数のＣＣＩシーケンスとの間の合致を決定し、
前記合致を前記決定することに少なくとも部分的に応答して、ＲＬＦまたはＯＯＳイベントのうちの少なくとも１つを予測する
ようにさらに構成される、請求項１９に記載の装置。
【請求項２４】
前記１つまたは複数のプロセッサは、前記ＲＬＦまたはＯＯＳイベントの発生または予測のうちの少なくとも１つに引き続いての別のセルの成功裏の獲得に少なくとも部分的に応答して、ＣＣＩの前記シーケンスに関連する解決方法として前記別のセルのＣＣＩを記録することによって少なくとも部分的に前記セル情報データベース内に前記セルに関する前記構成情報を格納するようにさらに構成され、ここにおいて、前記１つまたは複数のプロセッサは、
前記別のセルを優先的に獲得するために、前記ＲＬＦまたはＯＯＳイベントの前記予測に少なくとも部分的に応答して、ＣＣＩの前記シーケンスに関連する前記解決方法を使用する
ようにさらに構成される、請求項２３に記載の装置。